(57)【要約】【課題】互いに独立して３６０度の回転が可能な上下二段構成の回転操作機構を簡単且つ安価な構造により実現することを可能とした電子機器を提供する。【解決手段】カメラの回転操作機構は、外装部材１、第１の回転操作部材１１、第２の回転操作部材２、第１のホルダ１４、第２のホルダ３、板状部材１２、中空軸１３、第１の接片１５、第２の接片５、パターン基板６を備える。第１の回転操作部材１１は、中空軸１３の内側を摺動可能な軸部１１ａを有し、軸部１１ａを介して中空軸１３に支持されると共に中空軸１３に対して摺動可能に回転する。第２の回転操作部材２は、外装部材１を貫通して形成された穴部に摺動可能に嵌合され、第１の回転操作部材１１と外装部材１との間で、外装部材１に対して摺動可能に回転する。【選択図】図１
2010067391.tif 000002
【特許請求の範囲】
【請求項１】
外装部分を構成する外装部材と、
前記外装部材に位置決めされ固定された板状部材と、
前記板状部材に固定された中空軸と、
前記中空軸の内側に摺動可能に嵌合する軸部を有し、前記軸部を介して前記中空軸に支持されると共に前記中空軸に対して摺動可能に回転する第１の回転操作部材と、
前記外装部材を貫通する穴部に摺動可能に嵌合され、前記第１の回転操作部材と前記外装部材との間で、前記外装部材に対して摺動可能に回転する第２の回転操作部材と、
を備えることを特徴とする電子機器。
【請求項２】
前記第１の回転操作部材と一体に回転する第１のホルダと、
前記第２の回転操作部材と一体に回転する第２のホルダと、を更に備え、
前記電子機器の外側から前記中空軸の軸方向に沿って、前記第１の回転操作部材、前記第２の回転操作部材、前記第２のホルダ、前記第１のホルダの順に配置されることを特徴とする請求項１記載の電子機器。
【請求項３】
前記第１のホルダに固定された第１の接片と、
前記第２のホルダに固定された第２の接片と、
前記第１の接片に接触する第１のパターンと前記第２の接片に接触する第２のパターンが形成されたパターン基板と、を更に備え、
前記パターン基板は、前記中空軸の軸方向において前記第１のホルダと前記第２のホルダとの間に配置されることを特徴とする請求項２記載の電子機器。
【請求項４】
前記パターン基板は、片面に前記第１のパターンと前記第２のパターンが形成され、前記第１のパターンが前記第１の接片に対向して接触すると共に前記第２のパターンが前記第１の接片に対向して接触するように前記板状部材を挟み込んだ状態で折り曲げられ、前記中空軸の軸方向において前記第１のホルダと前記第２のホルダとの間に配置されることを特徴とする請求項３記載の電子機器。
【請求項５】
前記パターン基板における前記第１のパターンが形成されている部分は、前記板状部材の第１の面の上に固定され、前記パターン基板における前記第２のパターンが形成されている部分は、前記板状部材の前記第１の面の裏面である第２の面の上に固定されることを特徴とする請求項４記載の電子機器。
【請求項６】
前記板状部材の前記第１の面には、前記パターン基板における前記第１のパターンが形成されている部分の位置決めを行う第１の位置決め部が形成され、前記板状部材の前記第２の面には、前記パターン基板における前記第２のパターンが形成されている部分の位置決めを行う第２の位置決め部が形成されていることを特徴とする請求項５記載の電子機器。
【請求項７】
前記第１の回転操作部材の停止位置に対応する位置にスリットを有するクリック板と、
前記クリック板の前記スリットに嵌合することで前記第１の回転操作部材を停止させる第１のボールと、を更に備え、
前記クリック板は、前記第１のホルダにおける前記第１の接片が固定されていない側の面に重ねられると共に前記第１の回転操作部材に固定されることを特徴とする請求項１又は２記載の電子機器。
【請求項８】
前記第２の回転操作部材における前記外装部材と対向する面には、前記第２の回転操作部材の停止位置に対応する位置に谷形溝部が形成され、
前記外装部材と前記第２の回転操作部材との間に配置され、前記第２の回転操作部材の前記谷形溝部に嵌合することで前記第２の回転操作部材を停止させる第２のボール、を更に備えることを特徴とする請求項１記載の電子機器。
【請求項９】
前記第１の回転操作部材と前記第２の回転操作部材との間に配置され、前記第１の回転操作部材と前記第２の回転操作部材とを電気的に接続する導電部材、を更に備えることを特徴とする請求項１記載の電子機器。
【請求項１０】
前記電子機器には、撮像装置が含まれることを特徴とする請求項１乃至９のいずれかに記載の電子機器。
【発明の詳細な説明】
【技術分野】
【０００１】
本発明は、二段重ねに構成された回転操作部材を備える電子機器に関する。
【背景技術】
【０００２】
従来、カメラ等の電子機器に搭載される回転操作機構がある。この種の回転操作機において、二段重ねに構成された上段のダイアル（回転操作部材）と下段のダアイル（回転操作部材）を互いに独立させて略３６０度の回転を可能とする機構は、大きさや強度上の制約から実用化されていない。
【０００３】
回転操作機構に関しては次の技術が提案されている（例えば、特許文献１参照）。特許文献１には、上段の回転操作部材の径が下段の回転操作部材の径より小さい回転操作機構が開示されている。
【０００４】
また、回転操作機構に関しては次の技術が提案されている（例えば、特許文献２参照）。特許文献２には、上段の回転操作部材の回転角度が下段の回転操作部材の回転角度より大きい回転操作機構が開示されている。
【０００５】
また、回転操作機構に関しては次の技術が提案されている（例えば、特許文献３参照）。特許文献３には、第１回転操作部材の回転軸方向に重ねて配設され、第１回転操作部材に対して独立して回転操作が可能な第２回転操作部材が開示されている。更に、第２回転操作部材に取り付けられ、第２回転操作部材の回転を阻止するロック位置とこの回転阻止を解除するロック解除位置との間で、第２回転操作部材の径方向に移動操作されるロック部材が開示されている。特許文献３記載の技術は、第１回転操作部材の下部に位置する第２の回転操作部材は３６０°回転することができない構成のため、後述する本発明の実施の形態とは異なる。
【特許文献１】特開２００２−１６５１２４号公報
【特許文献２】特開２００２−１６５１２３号公報
【特許文献３】特開平９−５８１４号公報
【発明の開示】
【発明が解決しようとする課題】
【０００６】
上記従来技術においては以下のような課題があった。上述したように、カメラにおいて上段及び下段の各回転操作部材を互いに独立させて略３６０度の回転を可能とする回転操作機構は実用化されていないため、撮影者に対して使用上の制約と多大なストレスを与えていた。
【０００７】
また、各回転操作部材に対して配置できるモ−ドの数（撮影者が選択可能なモードの数）には限界があり、デザイン上の制約ともなっていた。また、各回転操作部材に指標がそれぞれ配置されているため、指標の種類が増加し、撮影者にとっては視認性が良好とはいえず、デザイン上からも煩雑なものとなっていた。
【０００８】
また、各回転操作部材のクリック感を創出するためのスプリングが板状部材で構成されていたため、各回転操作部材のトルクの変更調整を行う時や組み立て作業を行う時に、作業工程が増加すると共にコストが上昇するという問題があった。
【０００９】
また、各回転操作部材の間の空間が少なく、カメラ本体側のグランド（ＧＮＤ）レベルになっている部品とも遠いため、各回転操作部材が金属で構成されている場合に、静電破壊からカメラを保護するためのグランド接続がやりにくいという問題があった。
【００１０】
本発明の目的は、互いに独立して３６０度の回転が可能な上下二段構成の回転操作機構を簡単且つ安価な構造により実現することを可能とした電子機器を提供することにある。
【課題を解決するための手段】
【００１１】
上述の目的を達成するために、本発明は、外装部分を構成する外装部材と、前記外装部材に位置決めされ固定された板状部材と、前記板状部材に固定された中空軸と、前記中空軸の内側に摺動可能に嵌合する軸部を有し、前記軸部を介して前記中空軸に支持されると共に前記中空軸に対して摺動可能に回転する第１の回転操作部材と、前記外装部材を貫通する穴部に摺動可能に嵌合され、前記第１の回転操作部材と前記外装部材との間で、前記外装部材に対して摺動可能に回転する第２の回転操作部材と、を備えることを特徴とする。
【発明の効果】
【００１２】
本発明によれば、第１の回転操作部材は中空軸に対して摺動可能に回転し、第２の回転操作部材は第１の回転操作部材と外装部材との間で外装部材に対して摺動可能に回転する。これにより、互いに独立して３６０度の回転が可能な上下二段構成の回転操作機構を簡単且つ安価な構造により実現することが可能となる。
【発明を実施するための最良の形態】
【００１３】
以下、本発明の実施の形態を図面に基づいて説明する。
【００１４】
図１は、本実施の形態に係る撮像装置としてのカメラに搭載される回転操作機構の構成を示す縦断面図である。図２は、回転操作機構を示す分解斜視図である。図３は、カメラの外観を示す斜視図である。図４は、パタ−ン基板の展開図である。図５は、第２の回転操作部材を示す斜視図である。図６は、導電部材を示す斜視図である。図７は、板状部材の表面側から見た状態を示す斜視図である。図８は、板状部材の裏面側から見た状態を示す斜視図である。各図において同じ符号を記載した部材は同じ部材を表す。
【００１５】
図１乃至図８において、カメラの回転操作機構は、外装部材１、第１の回転操作部材１１、第２の回転操作部材２、第１のホルダ１４、第２のホルダ３、板状部材１２、中空軸１３、第１の接片１５、第２の接片５、パターン基板６、導電部材３０等を備えている。回転操作機構においては、カメラの外側から内側に（中空軸１３の軸方向に沿って）、第１の回転操作部材１１、第２の回転操作部材２、第２のホルダ３、第１のホルダ１４の順に配置される。
【００１６】
外装部材１は、カメラの外観となる外装部分を構成しており、ネジ等により、カメラの骨格を成すシャ−シまたは他の外装部分を構成するカバ−（以上不図示）に固定されている。外装部材１には、第１の回転操作部材１１及び第２の回転操作部材２の各々の指標と合わせるための印となる指標１ａが設けられている。本実施の形態では、指標１ａは、外装部材１とは別構成の例えば乳白色の窓と、窓の直下に配設された公知のＬＥＤとから構成されている。ＬＥＤが点灯していなくても撮影者からは指標１ａを認識することが可能である。
【００１７】
第２の回転操作部材２は、上下二段構成の回転操作部材において下段を構成する回転操作部材である。第２の回転操作部材２は、外装部材１を貫通して形成された穴部に摺動可能に嵌合され、第１の回転操作部材１１と外装部材１との間で、外装部材１に対して摺動可能に回転する。第２の回転操作部材２の外装部材１と対向する面には、第２の回転操作部材２の停止位置に対応して谷形溝部２ａが形成されている。谷形溝部２ａは、第２のボール７が移動（上昇／下降）可能な斜面を有する。また、第２の回転操作部材２の円板面には、周方向に沿って指標２ｂ（ＩＳＯ感度を示す複数の数値）が設けられている（図３参照）。
【００１８】
第２のホルダ３は、第２の回転操作部材２にネジ４により締結されており、第２の回転操作部材２と一体に回転する。第２の接片５は、第２のホルダ３に熱溶着で固着されると共にパタ−ン基板６に電気的に接触される部材であり、第２の回転操作部材２及び第２のホルダ３と一体に回転する。第２のホルダ３と第２の接片５により第２ホルダユニットを構成している。
【００１９】
第２のボール７は、第２の回転操作部材２の谷形溝部２ａに嵌合することで、第２の回転操作部材２の回転時に所望の位置で第２の回転操作部材２を停止させ且つクリック感を創出するための部材である。第２のボール７は、外装部材１と第２の回転操作部材２との間に配置されている。第２のスプリング８は、公知の圧縮スプリングである。第２のボール７は、撮影者が第２の回転操作部材２を回転させない時は、第２のスプリング８の付勢力により第２の回転操作部材２の谷形溝部２ａに入り込んでいる。第２の回転操作部材２と第２ホルダユニットとは、外装部材１を挟んで、回転及び摺動が自在にネジ４により固定されている。
【００２０】
本実施の形態では、第２の回転操作部材２は、ＩＳＯ感度の切り替えを行うための部材であり、撮影時のＩＳＯ感度を撮影者が選択できるように構成されている。第２の回転操作部材２は、３６０度（全周）の回転が可能である。第２の回転操作部材２の円板面には、撮影者が選択可能なＩＳＯ感度が周方向に沿って印刷されている（図３参照）。撮影者が第２の回転操作部材２を回転させると、第２のスプリング８の付勢力により第２の回転操作部材２の谷形溝部２ａに入り込んでいた第２のボール７は、第２の回転操作部材２の谷形溝部２ａの斜面に沿って下降し始める。
【００２１】
撮影者が第２の回転操作部材２の指標２ｂを外装部材１の指標１ａに合わせて第２の回転操作部材２の回転を止めると、第２のボール７は第２の回転操作部材２の谷形溝部２ａの斜面に沿って上昇する。これに伴い、第２のボール７は、第２の回転操作部材２の谷形溝部２ａにおける移動方向の両側に沿って且つ上昇するに従いに狭くなるよう形成されている斜面により停止する。この場合、第２のボール７の停止位置と、撮影者により選択可能なＩＳＯ感度の印刷表示とは合致している。撮影者は第２のボール７の上昇及び下降により手に伝わるクリック感を享受することができる。
【００２２】
第１の回転操作部材１１は、上下二段構成の回転操作部材において上段を構成する回転操作部材である。また、第１の回転操作部材１１の円板面には、周方向に沿って指標１１ｂ（カメラで使用可能な各種のモードを示す文字や記号）が設けられている（図３参照）。
【００２３】
板状部材１２は、外装部材１に対して位置決めダボ（不図示）により位置決めされると共にネジ９により固着されている。中空軸１３は、板状部材１２に固着されている。本実施の形態では、板状部材１２と中空軸１３とは双方とも金属から形成されており、公知のカシメにて固着されている。尚、板状部材１２と中空軸１３とをモ−ルドの一体で形成してもよい。板状部材１２は、ネジ（不図示）によりカメラ本体のグランドレベルに電気的に接触している。
【００２４】
第１の回転操作部材１１は、中空軸１３の軸方向の穴部（内側）に摺動可能に嵌合する軸部１１ａを有し、軸部１１ａを介して中空軸１３に支持されると共に中空軸１３に対して摺動可能に回転する。第１のホルダ１４は、第１の回転操作部材１１の軸部１１ａの先端の小径部における公知の二方取りにより回転方向に位置決めされ、第１の回転操作部材１１と一体に回転する。第１の接片１５は、第１のホルダ１４に熱溶着で固着されると共にパタ−ン基板６に電気的に接触される部材であり、第１の回転操作部材１１及び第１のホルダ１４と一体に回転する。第１のホルダ１４と第１の接片１５により第１ホルダユニットを構成している。
【００２５】
第１のボール１６は、クリック板１８の後述するスリット穴に嵌合することで、第１の回転操作部材１１の回転時に所望の位置で第１の回転操作部材１１を停止させ且つクリック感を創出するための部材である。第１のスプリング１７は、公知の圧縮スプリングである。クリック板１８は、第１の回転操作部材１１の停止位置に対応する位置に設けられ且つ第１のボール１６の進入／退避が可能で且つ第１のボール１６が通過できない程度の（第１のボール１６が嵌合可能な）幅のスリット穴を有する。クリック板１８は、第１のホルダ１４における第１の接片１５が固定されていない側の面に重ねられると共に第１の回転操作部材１１に固定される。
【００２６】
第１の回転操作部材１１は、外装部材１を挟んで、第１ホルダユニットとクリック板１８と共にネジ２０により締め付けられている。第１の回転操作部材１１は、上述したように二方取りが施されており、第１のホルダ１４及び第２の接片１５からなる第１ホルダユニットとクリック板１８の回転止めとなっている。
【００２７】
押さえ板１９は、第１の回転操作部材１１及び第１ホルダユニットの回転時に、これらが周囲の部材やパタ−ン基板６に接触したり、摺動確保のための油が飛び散ったりすることを防止している。また、回転操作機構（ユニット）を輸送する際の接片の破損を防止するという目的もある。本実施の形態では、押さえ板１９を透明部材で構成することで、ユニット完成時の第１及び第２の回転操作部材の動きやスプリングの挙動を確認しやすくしている。
【００２８】
本実施の形態では、第１の回転操作部材１１は、カメラのモ−ドの切り替えを行うための部材であり、カメラで使用可能な各種のモ−ドを撮影者が選択できるように構成されている。第１の回転操作部材１１は、３６０度（全周）の回転が可能である。これにより、第１の回転操作部材１１の円板面に表示されている各種のモードにおいて隣り合うモ−ドに撮影者が瞬時に遷移させることが可能である。
【００２９】
撮影者はカメラのモ−ドを選択する時あるいはＩＳＯ感度を選択する時に、外装部材１の指標１ａに、第１の回転操作部材１１の指標あるいは第２の回転操作部材２の指標を合わせることにより、モ−ドあるいはＩＳＯ感度の切り替えが可能となる。
【００３０】
また、第１のスプリング１７と第２のスプリング８のそれぞれの線径、外径、自然長、材質等を調整することで、第１のボール１６とクリック板１８との当接力、第２のボール７と第２回転操作部材２との当接力を変更することが可能である。結果的に、第１の回転操作部材１１と第２の回転操作部材２のそれぞれの回転トルクの変更と調整が可能なように構成されている。
【００３１】
パタ−ン基板６は、第１の接片１５に接触する第１のパタ−ン６ｂ、第２の接片５に接触する第２のパタ−ン６ａ（図４参照）が同一面（片面）に形成された公知の基板である。パタ−ン基板６は、第１のパターン６ｂが第１の接片１５に対向して接触すると共に第２のパターン６ａが第１の接片に対向して接触するように板状部材１２を挟み込んだ状態で折り曲げられる。更に、パタ−ン基板６は、中空軸１３の軸方向において第１のホルダ１４と第２のホルダ３との間に配置される。
【００３２】
更に、パターン基板６における第１のパターン６ｂが形成されている部分は、板状部材１２の第１の面１２ａの上に固定される。また、パターン基板６における第２のパターン６ａが形成されている部分は、板状部材１２の第１の面１２ａの裏面である第２の面１２ｂの上に固定される。
【００３３】
板状部材１２の第１の面１２ａには、パターン基板６における第１のパターン６ｂが形成されている部分の位置決めを行う第１の位置決め部１２ｃが形成されている（図８参照）。また、板状部材１２の第２の面１２ｂには、パターン基板６における第２のパターン６ａが形成されている部分の位置決めを行う第２の位置決め部１２ｄが形成されている（図７参照）。
【００３４】
パタ−ン基板６は、折り曲げ部で板状部材１２を挟み込むように、板状部材１２にカシメられた軸と、第１の位置決め部１２ｃ、第２の位置決め部１２ｄにより位置決めされ、不図示の両面テ−プで板状部材１２に固定されている。パタ−ン基板６は、カメラに装備された中央処理装置（ＣＰＵ：不図示）と電気的に接続されている。また、パタ−ン基板６の第１のパタ−ン６ｂ、第２のパタ−ン６ａは、銅箔が露出している部分であり、それぞれ、第１の接片１５、第２の接片５に対して電気的接触と非接触とが切り替わるように構成されている。
【００３５】
パタ−ン基板６は、第１のパターン６ｂが第１の接片１５に接触し、第２のパタ−ン６ａが第２の接片５に接触すると共に、押さえ板１９の下側に曲げ回された状態で配置されている（図１参照）。本構成により、押さえ板１９で第１の回転操作部材１１及び第２の回転操作部材２の回転を拘束することなく、パタ−ン基板６をレイアウトすることができる。そのため、押さえ板１９の下側に曲げ回されたパタ−ン基板６の浮きや、パタ−ン基板６と第１の回転操作部材１１及び第２の回転操作部材２との接触を気にする必要がなく、回転操作機構の組み立て作業が楽になる。
【００３６】
導電部材３０は、第１の回転操作部材１１と第２の回転操作部材２の間、即ち、第１の回転操作部材１１の内側に圧入配置される板バネであり、第１の回転操作部材１１と第２の回転操作部材２を電気的に接続する（図６、図９参照。図１では不図示）。第１の回転操作部材１１は、中空軸１３を介して板状部材１２に電気的に接続されており、最終的にはパタ−ン基板６のグランドレベルと同一になっている。本構成により、第１の回転操作部材１１と第２の回転操作部材２のどちらかに静電気が飛んだ場合でも、当該部材の近傍にある信号ラインに影響を及ぼし難くなり、カメラ全体の耐性も向上する。
【００３７】
以上説明したように、本実施の形態によれば以下の効果を奏する。第１の回転操作部材１１と第２の回転操作部材２を互いに独立して３６０度（全周）の回転が可能に構成しているため、カメラで切り替え可能なモ−ド（機能）を各部材に対応して多数配置することができ、設計上の自由度が増えるという効果がある。
【００３８】
また、第１の回転操作部材１１と一体に回転する第１の接片１５、第２の回転操作部材２と一体に回転する第２の接片５を、１枚の板状部材１２を挟んでパタ−ン基板６の第１及び第２のパタ−ンと接触させる。且つ、板状部材１２の第１の面１２ａ、第２の面１２ｂに、それぞれ、パターン基板６の第１及び第２のパタ−ンの位置決めを行う第１及び第２の位置決め部を設ける構成としている。これにより、第１及び第２の回転操作部材の回転軸上の位置ずれを防止できる。また、接片圧によるパタ−ン基板６及び板状部材１２のたわみを相互の接片圧同士で相殺するため、電気的接触が安定的になり信頼性が向上するという効果がある。
【００３９】
また、第１の回転操作部材１１及び第２の回転操作部材２を金属で構成した場合は、板状部材１２にカシメにより固着する中空軸１３を金属で構成する。これにより、静電気対策として第１及び第２の回転操作部材をグランドに落としたい場合に  接続用の接触子を第１及び第２の回転操作部材の間の隙間に配設すれば済むので、静電気による回路の破壊を防ぎやすいという効果がある。
【００４０】
また、第１の回転操作部材１１が中空軸１３に対して摺動可能に回転し、第２の回転操作部材２が外装部材１に対して摺動可能に回転する構成を有する。換言すれば、第１の回転操作部材１１と第２の回転操作部材２とが各々独立して外装部材１に対し回転自在に保持されているため、部品精度や組み立て作業上のずれ等の影響を受け難く、調整も不要となる。これにより、不慣れな作業者が回転操作機構を組み立てた場合でも、回転操作機構における安定した操作性を確保しやすく、結果的にコスト低減が可能となる。
【００４１】
以上をまとめると、互いに独立して３６０度（全周）の回転が可能な上下二段構成の第１の回転操作部材１１及び第２の回転操作部材２を有する回転操作機構を簡単且つ安価な構造により実現することが可能となる。
【００４２】
〔他の実施の形態〕
上記実施の形態では、第１及び第２の回転操作部材同士を導電部材３０（板バネ）を用いて電気的に接続した構成を例に挙げたが、本発明はこれに限定されるものではない。第１及び第２の回転操作部材同士を圧縮スプリングを用いて電気的に接続する構成としてもよい。
【００４３】
上記実施の形態では、第１及び第２の回転操作部材同士を電気的に接続した構成を例に挙げたが、本発明はこれに限定されるものではない。第１及び第２の回転操作部材同士を中空軸１３や板状部材１２に電気的に接続する構成としてもよい。
【００４４】
上記実施の形態では、撮像装置（カメラ）に搭載する回転操作機構を例に挙げたが、本発明はこれに限定されるものではない。撮像装置以外の、二段構成の回転操作部材の操作により各種のモードを設定する機能を有する電子機器に本発明の回転操作機構を搭載することも可能である。
【図面の簡単な説明】
【００４５】
【図１】本発明の実施の形態に係る撮像装置としてのカメラに搭載される回転操作機構の構成を示す縦断面図である。
【図２】第１の回転操作部材及び第２の回転操作部材品を示す分解斜視図である。
【図３】カメラの外観を示す斜視図である。
【図４】パタ−ン基板の展開図である。
【図５】第２の回転操作部材を示す斜視図である。
【図６】導電部材を示す斜視図である。
【図７】板状部材の表面側から見た状態を示す斜視図である。
【図８】板状部材の裏面側から見た状態を示す斜視図である。
【図９】導電部材を第１の回転操作部材と第２の回転操作部材の間に組み込んだ状態を示す断面図である。
【符号の説明】
【００４６】
１  外装部材
２  第２の回転操作部材
３  第２のホルダ
５  第２の接片
６  パタ−ン基板
７  第２のボール
１１  第１の回転操作部材
１２  板状部材
１３  中空軸
１４  第１のホルダ
１５  第１の接片
１６  第１のボール
１８  クリック板
３０  導電部材
【図１】
2010067391.tif 000003
【図２】
2010067391.tif 000004
【図３】
2010067391.tif 000005
【図４】
2010067391.tif 000006
【図５】
2010067391.tif 000007
【図６】
2010067391.tif 000008
【図７】
2010067391.tif 000009
【図８】
2010067391.tif 000010
【図９】
2010067391.tif 000011